(57)【要約】  【課題】  異なる場所と使用目的により輝度とコントラストを適宜に調整でき、且つ画像の端縁にハロー現象が発生しないプロジェクタを提供する。  【解決手段】  光源と、該光源から照射される光線をマイクロミラー・デバイスにガイドする光源レンズセットと、該光源から照射される光線に基づいて光信号を発生させるマイクロミラー・デバイスと、マイクロミラー・デバイスから発生する光信号を外部に投射し、外部に設けられたスクリーンに画像を投影する画像形成レンズセットと、光線の通路上に設ける調節式調節式絞りとを含んでなるプロジェクタであって、該調節式調節式絞りは、中央の位置に光線が通過する開口を形成するとともに、該プロジェクタの投影する画像の輝度とコントラストを制御するために該開口の大小を変化させて調整する少なくとも１以上の可動羽根を設けてなる。【選択図】  図３
2006047982.tif 000002
【特許請求の範囲】
【請求項１】
光源と、該光源から照射される光線をマイクロミラー・デバイスにガイドする光源レンズセットと、該光源から照射される光線に基づいて光信号を発生させるマイクロミラー・デバイスと、マイクロミラー・デバイスから発生する光信号を外部に投射し、外部に設けられたスクリーンに画像を投影する画像形成レンズセットと、光線の通路（ｌｉｇｈｔ  ｐａｔｈ）上に設ける調節式調節式絞りとを含んでなるプロジェクタにおいて、
該調節式調節式絞りは、中央の位置に光線が通過する開口（ａｐｅｕｔｕｒｅ）を形成するとともに、該プロジェクタの投影する画像の輝度とコントラストを制御するために該開口の大小を変化させて調整する少なくとも１以上の可動羽根を設けてなることを特徴とする調整可能な調節式絞りを具えるプロジェクタ。
【請求項２】
前記調節式調節式絞りが、該画像形成レンズセット、もしくは該光源レンズセット内に設けられることを特徴とする請求項１に記載の調整可能な調節式絞りを具えるプロジェクタ。
【請求項３】
前記調節式調節式絞りの開口が、楕円形、もしくは眼の形状（ｅｙｅ  ｓｈａｐｅ）を呈することを特徴とする請求項１に記載の調整可能な調節式絞りを具えるプロジェクタ。
【請求項４】
前記調節式調節式絞りは、第２ベースプレートと、第１ベースプレートとを含んでなり、該第２ベースプレートと第１ベースプレートの中央の部分に光線が通過する開口を形成してなり、
該第２ベースプレートはスライド溝を形成し、該スライド溝に螺子を挿通させて該第２ベースプレートと、第１ベースプレートと該可動羽根とを連結し、該第２ベースプレートは可動羽根に連結し、該スライド溝によって該第２ベースプレートが該第１ベースプレートに対して回転するとともに、該可動羽根を連動させて該可動羽根の位置を調節して該調節式調節式絞りの開口の大小を変えるように構成することを特徴とする請求項１に記載の調整可能な調節式絞りを具えるプロジェクタ。
【発明の詳細な説明】
【技術分野】
【０００１】
この発明は、プロジェクタに関し、特にデジタルライトプロセッシング(Digital  Light  Processing、以下DLPと称する)技術を応用したプロジェクタであって、輝度とコントラストの調整が可能な調節式絞りを具えるプロジェクタに関する。
【背景技術】
【０００２】
プロジェクタに関する技術は近年、大きく進歩を遂げている。現在に至り、プロジェクタは従来のように会議での場で透明のフィルムに写された画像を拡大し、スクリーン上に投影するだけのプレゼンテーション用の機械ではなく、すなわち光線を利用して、フィルム又はスライド用のフィルムのコンテンツをスクリーンに投影して見るだけの機械でもなくなっている。すなわち、現在のプロジェクタは、デジタル光線処理技術を利用することによって、従来のプレゼンテーション用の機械としての投影方式ではなく、これよりも革新的な方法を生み出した。このため現在のプロジェクタはホームシアターという新しい様式を具え、ディスプレイの市場において一席の地位を獲得し、従来のテレビ、新世代の液晶またはプラズマテレビに大きな脅威を与えている。
【０００３】
DLPは、デジタル電子信号に基づき連続したデジタル光信号を発生させる技術である。これらデジタル光信号をスクリーンに投射することによって連続した画像を表示することができるのみならず、動画を再生することも可能である。
【０００４】
DLP技術を応用したプロジェクタは、デジタル・マイクロミラー・デバイス（Digital  Maicromirror  Device）が技術上の核心となる。図１にデジタル・マイクロミラー・デバイスを開示する。図示によると、デジタル・マイクロミラー・デバイス１０は、数十万枚の面積が１４×１４μmで、毛髪の断面よりも小さいデジタル・マイクロミラー１２を集積してなる。それぞれのデジタル・マイクロミラー１２は、アルミニウム金属からなる。
【０００５】
図１Aは、図１に開示するデジタル・マイクロミラー・デバイスを構成するマイクロミラーの平面図である。図面によれば、マイクロミラー１２は、方形を呈し、対角線（図示におけるａｂ軸）を軸として回転する。マイクロミラー１２は、図１Aに開示する８→８の方向に沿って切断すると、図１Bに開示する側面図が得られる。
【０００６】
図１Bによると、マイクロミラー１２は、スイッチがオンの状態において、図１Aのaｂ軸を回転軸として時計回りの逆方向に回転し、デジタル・マイクロミラー・デバイス１０との間に１２度の挟角を形成する位置に至る。この場合、入射光線L０は、マイクロミラー１２により反射される。反射光線L１は、画像形成レンズセット２８に入射して画像を形成する。
【０００７】
マイクロミラー１２は、スイッチがオフの状態において、時計回りの方向に回転し、デジタル・マイクロミラー・デバイス１０との間に−１２度の夾角を形成する位置する。この場合、入射光線L０はマイクロミラー１２によって反射し、反射光線L２は画像形成レンズセット２８から離れる。
【０００８】
マイクロミラー１２は、作動時において、前述したスイッチがオンとオフの２種類の状態しかない。係るオンとオフは、デジタル信号のそれぞれのビットの０、１に対応する。よって、デジタル信号への応用に非常に適している。
【０００９】
図２は、従来のDＬP技術を応用したプロジェクタの構造を示した説明図である。プロジェクタ２０は、光源２２と、光源レンズセット２４と、上述したデジタル・マイクロミラー・デバイス１０と、画像形成レンズセット２８とを含んでなる。
【００１０】
光源２２は、光線を提供するユニットであって、通常、電球に集光カバーを設けてなる。光源２２の光線は、光源レンズセット２４を通過して光線の強度を保持するとともに、集光特性が具わり、さらにトータル・インターナル・リフレクション（Total  internal  reflection以下TIRと称す）プラズム２６を介して光線がデジタル・マイクロミラー・デバイス１０にガイドされる。
【００１１】
ＴＩＲプリズム２６は、光線を図１Bに開示した夾角でマイクロミラー・デバイス１０に入射させることができるとともに、マイクロミラー・デバイス１０をオンにした状態で反射光を画像形成レンズセット２８にガイドすることができる。画像形成レンズセット２８は、光線をプロジェクタに投射し、且つプロジェクタ２０の外側に設けられたスクリーンに画像を形成する（図示しない）。
【００１２】
図２に従来のプロジェクタ２０を開示する。図面によれば、光源レンズセット２４内に形成される光の通路を進む光線は、画像形成レンズセット２８内に形成される光の通路を進む光線と逆方向に進み、且つ光源レンズセット２４の光の通路と画像形成レンズセット２８の光の通路は互いに平行して形成される。よって、反射レンズ２５により光線を約９０度の角度に反射してTIRプリズム２６にガイドさせる必要がある。かかる構成によってプロジェクタ２０全体の体積を縮小することができる。当然のことながら、従来の技術においては反射レンズ２５を使用することなく、光源レンズセット２４と画像形成レンズセット２８を垂直に設け設けた構成も存在する2。
【００１３】
前述の光源レンズセット２４と画像形成レンズセット２８は、複数の光学レンズセットを含んでなり、通常、該光源レンズセット２４は、光線を内部で全反射して均一化するライト・インテグレータ（light  integrator）２４１を含む。
【００１４】
光源２２から照射される光線は白色の光線であるため、光線を赤色の光、緑色の光、青色の光に変える必要がある。よって、図面に開示するように従来の技術では、カラーリング２３を設ける。該カラーリング２３は、光源２２から照射される白色の光線を赤、緑、青に変えて、プロジェクタ２０が投影する画像にカラーを付ける作用を有する。
【００１５】
前述のＤＬＰの技術を応用したプロジェクタ２０は基本的な構成以外に、３枚のマイクロミラー・デバイス・チップを使用する。マイクロミラー・デバイスは該マイクロミラー・デバイス・チップによりそれぞれ、赤、緑、青色の光源を有するプロジェクタとなる。
【００１６】
し
ＤＬＰの技術はプロジェクタの使用方法に更なる可能性をもたらす。よって、プロジェクタは従来のようにスクリーンに画像を投影して会議などの場所で使用する以外に、ホームシアター用などの異なる使用形態が出現している。このためプロジェクタの使用目的によって、色彩の表示、或いは輝度に対する要求が多様化している。例えば、プロジェクタを利用してプレゼンテーションを行う場合、プロジェクタの輝度は高いほどよい。プレゼンテーション、或いは会議の場合、室内を完全に消燈することに適していないため、輝度の高いプロジェクタが必要になる。すなわち、プロジェクタの輝度が高ければ高いほど投影される画像が鮮明になるからである。ただし、ホームシアター用にプロジェクタを使用する場合、すなわち映画或いは動画を再生する場合は、鮮やかな色彩、はっきりしたコントラストが要求される。いいかえれば白色と黒色の表示がはっきりしていることが要求される。
【００１７】
しかしながら、プロジェクタの輝度が高すぎると、スクリーンへの表示は、かえって黒色や其の他の暗色の色彩が強調される。このため暗い色が明るくなりすぎるという欠点が生じ、画像のコントラストの表現が逆効果になる。よって、これらの場合、高い輝度を優先するか、はっきりとしたコントラストを優先するか、適宜に対応するメカニズムが必要となる。ただし、従来のＤＬＰ技術によるプロジェクタにはかかるメカニズムを具えていない。
【００１８】
また、DＬＰ技術によるプロジェクタは適宜に輝度とコントラストを優先するメカニズムが必要になるという欠点以外に、光源２２（図２）が照射する光線がプロジェクタ２０内部で光源レンズセット２４によりマイクロミラー・デバイス１０にガイドされる場合、光線の断面が円形になるが、マイクロミラー・デバイス１０は方形もしくは矩形で、且つプロジェクタ２０が投影する画像も主に方形もしくは矩形であるため、光線の断面の形状と画像の形状が異なり、投影した画像の端縁にハロー現象が発生する欠点がある。
【発明の開示】
【発明が解決しようとする課題】
【００１９】
上述するように、従来のＤＬＰ技術によるプロジェクタは、プロジェクタを使用する目的に合わせて輝度とコントラストを適宜に調整する機能が欠けているとともに、プロジェクタが投影する画像の端縁部にハロー現象が発生するといった欠点を有し、これら欠点を改善できるプロジェクタが望まれている。
【００２０】
そこで、この発明は、異なる場所と使用目的により輝度とコントラストを適宜に調整することのできる調整可能な調節式絞りを具えるプロジェクタを提供することを課題とする。
【００２１】
また、この発明は、画像の端縁にハロー現象が発生するといった欠点を改善することのできるプロジェクタを提供することを課題とする。
【課題を解決するための手段】
【００２２】
そこで本発明者は、従来の技術に鑑み鋭意研究を重ねた結果、光源と、該光源から照射される光線をマイクロミラー・デバイスにガイドする光源レンズセットと、該光源から照射される光線に基づいて光信号を発生させるマイクロミラー・デバイスと、マイクロミラー・デバイスから発生する光信号を外部に投射し、外部に設けられたスクリーンに画像を投影する画像形成レンズセットと、光線の通路（ｌｉｇｈｔ  ｐａｔｈ）上に設ける調節式調節式絞りとを含んでなる調整可能な調節式絞りを具えるプロジェクタであって、該調節式調節式絞りは、中央の位置に光線が通過する開口（ａｐｅｕｔｕｒｅ）を形成するとともに、該プロジェクタの投影する画像の輝度とコントラストを制御するために該開口の大小を変化させて調整する少なくとも１以上の可動羽根を設けてなる調整可能な調節式絞りを具えるプロジェクタの構造によって課題を解決できる点に着眼し、係る知見に基づき本発明を完成させた。
以下、この発明について具体的に説明する。
【００２３】
請求項１に記載する光源と、該光源から照射される光線をマイクロミラー・デバイスにガイドする光源レンズセットと、該光源から照射される光線に基づいて光信号を発生させるマイクロミラー・デバイスと、マイクロミラー・デバイスから発生する光信号を外部に投射し、外部に設けられたスクリーンに画像を投影する画像形成レンズセットと、光線の通路（ｌｉｇｈｔ  ｐａｔｈ）上に設ける調節式調節式絞りとを含んでなるプロジェクタにおける該調節式絞りは、中央の位置に光線が通過する開口（ａｐｅｕｔｕｒｅ）を形成するとともに、該プロジェクタの投影する画像の輝度とコントラストを制御するために該開口の大小を変化させて調整する少なくとも１以上の可動羽根を設けてなる。
【００２４】
請求項２に記載する調整可能な絞りを具えるプロジェクタは、請求項１における調節式調節式絞りが、該画像形成レンズセット、もしくは該光源レンズセット内に設けられる。
【００２５】
請求項３に記載する調整可能な絞りを具えるプロジェクタは、請求項１における調節式調節式絞りの開口が、楕円形、もしくは眼の形状（ｅｙｅ  ｓｈａｐｅ）を呈する。
【００２６】
請求項４に記載する調整可能な絞りを具えるプロジェクタは、請求項１における調節式調節式絞りが、第２ベースプレートと、第１ベースプレートとを含んでなり、該第２ベースプレートと第１ベースプレートの中央の部分に光線が通過する開口を形成してなり、該第２ベースプレートはスライド溝を形成し、該スライド溝に螺子を挿通させて該第２ベースプレートと、第１ベースプレートと該可動羽根とを連結し、該第２ベースプレートは可動羽根に連結し、該スライド溝によって該第２ベースプレートが該第１ベースプレートに対して回転するとともに、該可動羽根を連動させて該可動羽根の位置を調節して該調節式絞りの開口の大小を変える。
【発明の効果】
【００２７】
本発明の調整可能な絞りを具えるプロジェクタは、異なる場所と使用目的により輝度とコントラストを適宜に調整することのできるとともに、従来の技術に見られるように画像の端縁にハロー現象が発生するといった欠点を改善することができるため、特にＤＬＰプロジェクタの用途の範囲を広げ、実用性を高めるとともに、画像の品質を高めるという利点がある。
【発明を実施するための最良の形態】
【００２８】
この発明は、デジタルライトプロセッシング技術を応用し、輝度とコントラストが調整可能な絞りを具えるプロジェクタに関するものであって、光源と、該光源から照射される光線をマイクロミラー・デバイスにガイドする光源レンズセットと、該光源から照射される光線に基づいて光信号を発生させるマイクロミラー・デバイスと、マイクロミラー・デバイスから発生する光信号を外部に投射し、外部に設けられたスクリーンに画像を投影する画像形成レンズセットと、光線の通路（ｌｉｇｈｔ  ｐａｔｈ）上に設ける調節式絞りとを含んでなるプロジェクタにおいて、該調節式絞りの中央の位置に光線の通過する開口（ａｐｅｕｔｕｒｅ）を形成するとともに、該プロジェクタの投影する画像の輝度とコントラストを制御するために該開口の大小を変化させて調整する少なくとも１以上の可動羽根を設けて調整可能な絞りを具えるプロジェクタを構成することによって、場所と使用目的により輝度とコントラストを適宜に調整できる調整可能な絞りを具えるプロジェクタを提供するという目的を、実現した。
係る構成の調整可能な絞りを具えるプロジェクタついて、その構造と特徴を詳述するために具体的な実施例を挙げ、以下に説明する。
【実施例】
【００２９】
図３に、この発明の調整可能な絞りを具えるプロジェクタの説明図を開示する。図面によると、プロジェクタ３０は、光源３２と、光源レンズセット３４と、画像形成レンズセット３８と、マイクロミラー・デバイス４０と、少なくとも１以上の調節可能な調節式絞り４２とを含んでなる。
【００３０】
光源３２は、光線を提供するものであって、実施例では電球に集光カバーを設けて構成する。光源３２から照射される光線は、光源レンズセット３４を通過して光線の強度を保持するとともに、集光性が具わる。
【００３１】
光源レンズセット３４は光線をマイクロミラー・デバイス４０にガイドするために供し、複数の光学レンズ（例えば図３の３４３及び３４４）と、ライト・インテグレータ（light  integrator）３４１とを含んでなる。光線はライト・インテグレータ３４１内で全反射して均一化される。さらに、該均一化された光線は光源レンズセット３４の一方の端縁部に設けられたＴＩＲプリズム３６を通過して適当な入射角度でマイクロミラー・デバイス４０にガイドされる。該入射角度は１０〜１４度の範囲である。
【００３２】
マイクロミラー・デバイス４０は光源３２が提供する光線を調整（modulate）して光信号を発生させるために用いる。該光信号はマイクロミラー・デバイス４０のオンの状態にある複数のマイクロミラーによって発生する反射光線である。
【００３３】
該光信号は、ＴＩＲプリズム３６を通過し、画像形成レンズセット３８にガイドされる。画像形成レンズセット３８は、複数の光学レンズ（図示しない）を含んでなり、光信号をフォーカスするとともに、増幅する作用を有する。画像形成レンズセット３８によってフォーカス、増幅された光信号は、プロジェクタから投射され、プロジェクタ３０の外部に設けられたスクリーン４４に投影される。
【００３４】
調節可能な調節式絞り４２は、プロジェクタ３０内部の光の通路（ｌｉｇｈｔ  ｐａｔｈ）に設けられる。図３によれば、この発明の調節式絞り４２は、実施例において画像形成レンズセット３８内に設けられた複数の光学レンズの間に設けられる。調節式絞り４２は光線を通過させる開口調節式絞り（ａｐｅｒｔｕｒｅ）４２１を中央の部分に設けるとともに、開口調節式絞り４２１には開口の大きさを調整する可動羽根４２３を設ける。プロジェクタ３０の画像の輝度とコントラストは、可動羽根４２３により調整することができる。
【００３５】
図３Ａに、この発明の調整可能な調節式絞りを具えるプロジェクタの他の実施の形態を開示する。すなわち図３Aに開示するように、調節式絞り４２を、光源レンズセット３４内部の光学レンズ３４３と３４４の間に設ける。また、調節式絞り４２は図３Ｂに開示するように、画像形成レンズセット３８と、光源レンズセット３４の内部の任意の位置に設けることもできる。かかる実施の形態の変更は輝度とコントラストを調節できる範囲を広くするといった効果が得られる。さらに、調節式絞り４２は、図３、図３Ａ、図３Ｂに開示する位置に設ける以外に、プロジェクタ３０内部の光の通路上であれば任意の位置に設けることができ、いずれの位置においてもプロジェクタ３０の輝度とコントラストを調節することができる。
【００３６】
図３によると、プロジェクタ３０はカラーリング３３を含んでなる。該カラーリング３３は光源３２から照射された白色光線を赤、緑、青に変えて、プロジェクタが投影する画像にカラーを付ける作用を有する。また、プロジェクタ３０内の光源レンズセット３４に形成される光の通路を進む光線は、画像形成レンズセット３８内に形成される光の通路を進む光線と逆方向に進み、且つ光源レンズセット３４の光の通路と画像形成レンズセット３８の光の通路はお互いに平行して形成される。よって、反射レンズ３５を設けて光線を約９０度の角度に反射してＴＩRプリズム３６にガイドさせる必要がある。かかる構成によってプロジェクタ３０全体の体積を縮小することができる。当然のことながら、反射レンズ２５を使用することなく、光源レンズセット３４、カラーリング３３、光源３２、画像形成レンズセット３８を略垂直になるような構成にすることもできる（図示しない）。
【００３７】
図４に、この発明の調節可能な調節式絞りの分解図を開示する。この実施例において調節式絞り４２は、第２ベースプレート４２４と、４枚の可動羽根４２３と、第１ベースプレート４２２とによってなる。すなわち、第２ベースプレート４２４にはスライド溝４２４１を形成し、４枚の可動羽根４２３には貫通孔４２３１をそれぞれ穿設し、第１ベースプレート４２２には貫通孔４２３１穿設し、２本の螺子４２５をそれぞれ該スライド溝４２４１から、貫通孔４２３１と、貫通孔４２２１とに挿通させて第１ベースプレート４２２に可動羽根４２３と第２ベースプレート４２４を回動自在に連結して調節式絞り４２を構成する。さらに、調節式絞り４２はプロジェクタ３０内部のフレーム３９に連結する。この場合、該第１ベースプレート４２２は、円周上の対向する位置に固定孔４２２２を有する耳部を形成してなり、該耳部をフレーム３９に固定することによって、調整式調節式絞り４２をフレーム３９に連結する。
【００３８】
図４に開示するように第２ベースプレート４２４は底面側に可動羽根４２３のスライド溝４２３２に対応する複数の複数の突起４２４２を形成してなり、上述するように調節式調節式絞り４２を組立てると、該突起４２４２が可動羽根３４２３のスライド溝４２３２を貫通する。また、第２ベースプレート４２４は外周から外方向に延伸する調整つまみ４２４３を一体に形成してなり、該調整つまみ４２４３を操作することによって第２ベースプレート４２４を回転させることができる。第２ベースプレート４２４を回転させると、可動羽根４２３が連動し、貫通孔４２３１（もしくは螺子４２５）を軸として回転する。このため、可動羽根４２３の位置を調節して調節式調節式絞り４２の開口の大小を変えることができる。
【００３９】
図４Ａおよび図４Ｂは、図４の調節式調節式絞りにおいて開口の大小が異なる場合の平面図を開示する。図４Ａによれば、第２ベースプレート４２４が円弧線に沿って所定の角度移動する場合、可動羽根４２３は第２ベースプレート４２４と第１ベースプレート４２２とによって挟まれて形成される環状の空間の範囲内をスライドする。この場合、調節式調節式絞り４２における開口４２１Ａの大きさは第１ベースプレート４２２の開口と等しくなり、且つ調節式調節式絞り４２の最大の開口となる。
【００４０】
図４Ｂに開示するように、第２ベースプレート４２４が図４Ａから図４Ｂの角度にスライドする場合、可動羽根４２３が第２ベースプレート４２４と第１ベースプレート４２２によって形成される環状の空間を中央方向にスライドする。この場合、調節式調節式絞り４２の開口は縮小して、図４Ａに開示する４２１Ａの状態から図４Ｂに開示する開口４２１Ｂの状態となる。
【００４１】
図４Ａと図４Ｂに開示するように、実施例において開口４２１Ａと開口４２１Ｂは眼の形（ｅｙｅ  ｓｈａｐｅ）を呈するが、例えば開口が楕円形を呈する形態にしてもよい。光源３２（図３参照）が提供する光線が光源レンズセット３４を通過してマイクロミラー・デバイス４０にガイドされる時、光線の断面は円形である。但し、マイクロミラー・デバイス４０は方形もしくは矩形で、且つプロジェクタ３０が投影する画像も方形もしくは矩形である。よって、光線の断面の形状と画像の形状が異なるため、画像の端縁部にハロー現象が発生する。そこで、この発明では、眼の形か、もしくは楕円形を呈した開口を有する調節式調節式絞り４２でマイクロミラー・デバイス４０に入射する光線の断面の形状を変更するか、或いはマイクロミラー・デバイス４０が反射する光信号の断面の形状を変更して画像の端縁部にハロー現象が発生するという欠点を克服した。
【００４２】
図５に、この発明における調節式調節式絞りにかかる他の実施の形態を開示する。図面によれば、調節式調節式絞り５２の可動羽根５２３は、図４の可動羽根４２３と形状が異なり、且つ使用する羽根の数も異なる（図４は４枚、図５は２枚）。また、図４では、該第２ベース４２２の底面側に設けられた可動羽根４２３のスライド溝４２３２に対応する複数の突起４２４２と、可動羽根４２３のスライド溝４２３２とを具えてなる。しかし、図５の実施例は図４の実施例とは逆に複数の突起５２３２が可動羽根５２３の表面に設けられ、スライド溝５２４２を第２ベースプレート５２４に形成する。
【００４３】
前述のとおり、この発明の調節式調節式絞りは、この発明の目的と精神の下において、調節式絞りの開口の形状、もしくは調節式調節式絞り自体の構造、特に可動羽根の構造などについて、適宜に修正することができる。ただし、この発明の精神は、主に調節式絞りの開口の大小を調節してＤＬＰ技術を応用したプロジェクタのハードウェアが画像の輝度とコントラストを調節できるようにしたことにある。このため、この発明のプロジェクタは、画像の輝度、またはコントラストを使用者の要求に応じて調整できるようにして、従来の技術における欠点を改善した。従って、この発明によれば、異なる使用目的に合わせて、画像の輝度、またはコントラストを調整できるとともに、画像の端縁部にハロー現象が発生するという従来の技術における欠点を改善することができる。
【００４４】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００４５】
【図１】従来の技術におけるマイクロミラー・デバイスの外観を示した斜視図である。
【図１Ａ】図１に開示するマイクロミラー・デバイスにおけるマイクロミラーの動作を示した説明図である。
【図１Ｂ】図１Ａに開示するマイクロミラーの動作を示した側面説明図である。
【図２】従来の技術によるＤＬＰプロジェクタの構造を示した説明図である。
【図３】この発明によるプロジェクタの構造を示した説明図である。
【図３Ａ】他の実施形態によるプロジェクタの構造を示した説明図である。
【図３Ｂ】その他の実施形態によるプロジェクタの構造を示した説明図である。
【図４】この発明における調節式調節式絞りの分解図である。
【図４Ａ】図４に開示する調節式調節式絞りの開口の状態を示した説明図である。
【図４Ｂ】図４に開示する調節式調節式絞りの開口の他の状態を示した説明図である。
【図５】他の実施形態による調節式調節式絞りの分解図である。
【符号の説明】
【００４６】
１０      デジタル・マイクロミラー・デバイス
１２      マイクロミラー
２０      プロジェクタ
２２      光源
２３      カラーリング
２４      光源レンズセット
２４１    ライト・インテグレータ
２５      反射レンズ
２６      ＴＩＲプリズム
２８      画像形成レンズセット
３０      プロジェクタ
３２      光源
３３      カラーリング
３４      光源レンズセット
３４１    ライト・インテグレータ
３４３    光学レンズセット
３４４    光学レンズセット
３５      反射レンズ
３６      ＴＩＲプリズム
３８      画像形成レンズセット
３９      フレーム
４０      マイクロミラー・デバイス
４２      調節式絞り
４２１    開口調節式絞り
４２１Ａ  開口
４２１Ｂ  開口
４２２    第１ベースプレート
４２２１  貫通孔
４２２２  固定孔
４２３    可動羽根
４２３１  貫通孔
４２４    第２ベースプレート
４２４１  スライド溝
４２４２  突起
４２５    螺子
４４      スクリーン
５２      調節式調節式絞り
５２３    可動羽根
５２３２  突起
５２４    第２ベースプレート
５２４２  スライド溝
Ｌ０      入射光
Ｌ１      反射光
Ｌ２      反射光
【図１】
2006047982.tif 000003
【図１Ａ】
2006047982.tif 000004
【図１Ｂ】
2006047982.tif 000005
【図２】
2006047982.tif 000006
【図３】
2006047982.tif 000007
【図３Ａ】
2006047982.tif 000008
【図３Ｂ】
2006047982.tif 000009
【図４】
2006047982.tif 000010
【図４Ａ】
2006047982.tif 000011
【図４Ｂ】
2006047982.tif 000012
【図５】
2006047982.tif 000013